(57)【特許請求の範囲】
【請求項１】
大屋根に取り付けられた大屋根受金具に形成された突起部が挿入される孔が形成された板状部と、
前記大屋根を開いた状態に支持するための大屋根突揚棒を回動自在に支持する支持部材、
とを有するグランドピアノの大屋根突揚棒取付金具。
【請求項２】
開閉自在な大屋根と、
該大屋根に取り付けられた、突起部を有する大屋根受金具と、
前記大屋根を開いた状態に支持するための大屋根突揚棒を回動自在に支持すると共に、前記大屋根が閉じられた状態で前記大屋根受金具の突起部が挿入される孔が形成された板状部を有する大屋根突揚棒取付金具、
とを有するグランドピアノ。
【発明の詳細な説明】
【０００１】
【発明の属する技術分野】
本発明は、グランドピアノ及びその大屋根突揚棒取付金具に関し、特に大屋根を本体に固定する技術に関する。
【０００２】
【従来の技術】
従来のグランドピアノは、図３の斜視図にその一例を示すように、側板２０で囲まれた本体３０を覆う大屋根１０を有している。この大屋根１０は、大屋根前１０ａと大屋根後１０ｂとで構成されており、大屋根前１０ａは、大屋根蝶番１１によって大屋根後１０ｂに回動自在に結合されている。更に、大屋根後１０ｂは、蝶番４０によって側板２０に回動自在に結合されている。これにより、大屋根１０全体として本体３０に開閉可能になっている。
【０００３】
また、側板２０の所定部位には、大屋根突揚棒取付金具２１が取り付けられている。この大屋根突揚棒取付金具２１は、図４に示すように、大屋根突揚棒（大）２２及び大屋根突揚棒（小）２３を軸２４によって回動自在に支持する。また、上記大屋根後１０ｂの所定部位には上記大屋根突揚棒（大）２２及び大屋根突揚棒（小）２３の先端部を受け入れるための凹部が形成された大屋根突揚棒受１２が設けられている。
【０００４】
以上の構成において、大屋根１０を上に持ち上げて大屋根突揚棒（大）２２の先端部を大屋根突揚棒受１２の凹部に挿入することにより、大屋根１０を大きく開いた状態に設定できる。同様に、大屋根１０を上に持ち上げて大屋根突揚棒（小）２３の先端部を大屋根突揚棒受１２の凹部に挿入することにより、大屋根１０を小さく開いた状態に設定できる。この大屋根１０の開き角度によって反射音の量を調整することにより、細かなニュアンスの音色変化を実現できるようになっている。
【０００５】
ところで、グランドピアノの輸送は、脚及びペダルを取り外して梱包し、低音弦側が下になるように本体３０を立てた状態で行われる。従って、大屋根１０の全重量が蝶番４０に直接かかることになり、大屋根１０及び側板２０の蝶番４０がねじ止めされている部分或るいは蝶番４０自体が壊れるという問題がある。
【０００６】
このような問題を避けるために、従来のグランドピアノでは、図３に示すように、大屋根後１０ｂの所定部分に大屋根受金具（大）１３が、側板２０に大屋根受金具（小）２４がそれぞれ取り付けられている。大屋根受金具（大）１３は、例えば図５に示すように、突起部１３０が設けられた金属の円形板で構成されている。この大屋根受金具（大）１３の平板部には複数の孔が形成されており、これらの孔を介してねじ止めされることにより大屋根後１０ｂに取り付けられている。
【０００７】
また、大屋根受金具（小）２４は、図６に示すように、直角に折り曲げられた金属板で構成されている。この大屋根受金具（小）２４の一方の面（図６中の水平面）は半円形に成形されており、この面には上記大屋根受金具（大）１３の突起部１３０を受け入れるための孔２４０が形成されている。また、上記大屋根受金具（小）２４の他方の面（図６中の垂直面）も半円形に成形されており、この面には複数の孔が形成されている。大屋根受金具（小）２４は、垂直面の孔を介してねじ止めされることにより側板２０に取り付けられている。
【０００８】
上記のように構成されるグランドピアノでは、大屋根１０が閉じられることにより大屋根受金具（大）１３の突起部１３０が大屋根受金具（小）２４の孔２４０に挿入される。これにより、大屋根１０が本体３０に固定される。従って、輸送の際も大屋根１０の重量が蝶番４０と大屋根受金具（大）１３及び大屋根受金具（小）２４とに分散してかかるので、上述した問題は解消される。
【０００９】
【発明が解決しようとする課題】
しかしながら、グランドピアノに設けられた大屋根受金具（大）１３及び大屋根受金具（小）２４といった部品は、輸送時だけ有効に機能するものであり、通常は使用されない。従って、部品点数を少なくし、材料コスト及び組立コストを低減するという観点からも、これらの部品を可能な限り除去したいという要望がある。
【００１０】
本発明は、このような要望に応えるためになされたものであり、部品点数を極力少なくして材料コスト及び組立コストを低減できるグランドピアノ及びその大屋根突揚棒取付金具を提供することを目的とする。
【００１１】
【課題を解決するための手段】
本発明の第１の態様に係るグランドピアノの大屋根突揚棒取付金具は、上記目的を達成するために、
大屋根に取り付けられた大屋根受金具に形成された突起部が挿入される孔が形成された板状部と、前記大屋根を開いた状態に支持するための大屋根突揚棒を回動自在に支持する支持部材、とを備えている。
【００１２】
また、本発明の第２の態様に係るグランドピアノは、
開閉自在な大屋根と、
該大屋根に取り付けられた、突起部を有する大屋根受金具と、
前記大屋根を開いた状態に支持するための大屋根突揚棒を回動自在に支持すると共に、前記大屋根が閉じられた状態で前記大屋根受金具の突起部が挿入される孔が形成された板状部を有する大屋根突揚棒取付金具、とを備えている。
【００１３】
本発明によれば、グランドピアノの大屋根突揚棒取付金具は、大屋根突揚棒を回動自在に支持すると共に、大屋根に取り付けられた大屋根受金具に形成された突起部が挿入される孔が形成されているので、従来の技術の欄で説明した大屋根突揚棒取付金具２１と大屋根受金具（小）２４の機能を併せ持つことになる。従って、従来の大屋根受金具（小）２４は不要になるので、部品点数を減らすことができると共に、取付工数の削減及びコストダウンを図ることができる。
【００１４】
【発明の実施の形態】
以下、本発明の実施の形態を、図面を参照しながら詳細に説明する。なお、従来の技術の欄で説明した部分と同一又は相当部分には同一の符号を付して説明する。
【００１５】
図１は、本発明の実施の形態に係るグランドピアノの構造を示す斜視図である。このグランドピアノは、従来の技術の欄で説明したと同様に、側板２０で囲まれた本体３０を覆う大屋根１０を有している。この大屋根１０は、大屋根前１０ａと大屋根後１０ｂとで構成されており、大屋根前１０ａは、大屋根蝶番１１によって大屋根後１０ｂに回動自在に結合されている。更に、大屋根後１０ｂは、蝶番４０によって側板２０に回動自在に結合されている。これにより、大屋根１０全体として本体３０に開閉可能になっている。
【００１６】
また、側板２０の所定部位には、大屋根突揚棒取付金具５０が取り付けられている。この大屋根突揚棒取付金具５０は、図２に示すように、大屋根突揚棒（大）２２及び大屋根突揚棒（小）２３を軸２４によって回動自在に支持する。また、この大屋根突揚棒取付金具５０の上面を形成する板状部５１には舌部５２が形成されており、この舌部５２の略中央に孔５３が形成されている。この大屋根突揚棒取付金具５０は、その側面に設けられた複数の孔を介して側板２０にねじ止めにより取り付けられている。
【００１７】
また、上記大屋根後１０ｂの所定部位には、従来の技術の欄で説明したと同様の上記大屋根突揚棒（大）２２及び大屋根突揚棒（小）２３の先端部を受け入れるための凹部が形成された大屋根突揚棒受１２が設けられている。更に、この大屋根後１０ｂの他の所定部分には、大屋根受金具（大）１３が取り付けられている。この大屋根受金具（大）１３は、図５を参照しながら従来の技術の欄で説明したと同様のものであり、突起部１３０が設けられた金属の円形板で構成されている。この大屋根受金具（大）１３の平板部には複数の孔が形成されており、これらの孔を介してねじ止めにより大屋根後１０ｂに取り付けられている。
【００１８】
以上の構成において、大屋根１０を上に持ち上げて大屋根突揚棒（大）２２の先端部を大屋根突揚棒受１２の凹部に挿入することにより、大屋根１０を大きく開いた状態に設定できる。同様に、大屋根１０を上に持ち上げて大屋根突揚棒（小）２３の先端部を大屋根突揚棒受１２の凹部に挿入することにより、大屋根１０を小さく開いた状態に設定できる。
【００１９】
一方、大屋根１０が閉じられることにより大屋根受金具（大）１３の突起部１３０が大屋根突揚棒取付金具５０に設けられた孔５３に挿入される。これにより、大屋根１０は本体３０に固定される。従って、輸送の際も大屋根１０の重量は蝶番４０と大屋根受金具（大）１３及び大屋根突揚棒取付金具５０とに分散してかかるので、上述した大屋根１０及び側板２０の蝶番４０がねじ止めされている部分或るいは蝶番４０自体が壊れるという問題は解消される。
【００２０】
なお、上記実施の形態はグランドピアノについて説明したが、これに限らず、例えばチェンバロ等といった大屋根を有するあらゆる楽器に適用できる。
【００２１】
【発明の効果】
以上詳述したように、本発明によれば、部品点数を極力少なくして材料コスト及び組立コストを低減できるグランドピアノ及びその大屋根突揚棒取付金具を提供できる。
【図面の簡単な説明】
【図１】本発明の実施の形態に係るグランドピアノの構造を概略的に示す斜視図である。
【図２】本発明の実施の形態に係るグランドピアノで使用される大屋根突揚棒取付金具の構造を概略的に示す斜視図である。
【図３】従来のグランドピアノの構造を概略的に示す斜視図である。
【図４】従来のグランドピアノで使用される大屋根突揚棒取付金具の構造を概略的に示す斜視図である。
【図５】従来のグランドピアノで使用される大屋根受金具（大）の構造を概略的に示す斜視図である。
【図６】従来のグランドピアノで使用される大屋根受金具（小）の構造を概略的に示す斜視図である。
【符号の説明】
１０    大屋根
１０ａ  大屋根前
１０ｂ  大屋根後
１１    大屋根蝶番
１２    大屋根突揚棒受
２０    側板
２２    大屋根突揚棒（大）
２３    大屋根突揚棒（小）
２４    軸
３０    本体
４０    蝶番
５０    大屋根突揚棒取付金具
５１    板状部
５２    舌部
５３    孔
【図１】
0003556106.tif 000002
【図２】
0003556106.tif 000003
【図３】
0003556106.tif 000004
【図４】
0003556106.tif 000005
【図５】
0003556106.tif 000006
【図６】
0003556106.tif 000007